(57)【特許請求の範囲】
【請求項１】
光源、ミラー等を搭載したキャリッジの走査によりコンタクトガラス上の原稿画像を読み取る画像読み取り装置において、板金製のキャリッジを駆動するワイヤを、固有振動数が前記キャリッジと異なるアルミダイキャストまたは焼結合金からなる金属性振動減衰体を介して前記キャリッジに固定したことを特徴とする画像読み取り装置。
【請求項２】
請求項１記載において、金属性振動減衰体とキャリッジの間に、さらにゴム部材などの弾性材質の弾性振動減衰体を介在させたことを特徴とする画像読み取り装置。
【発明の詳細な説明】
【０００１】
【発明の属する技術分野】
本発明は、光源、ミラー等を搭載したキャリッジの走査によりコンタクトガラス上の原稿画像を読み取る画像読み取り装置に関し、特に、デジタル複写機、高画質タイプの汎用スキャナ等、高画質を要求されている画像読み取り装置における光学系キャリッジと駆動ワイヤの固定機構に関する。
【０００２】
【従来の技術】
複写機の画像読み取り装置としては、光源と第１ミラーを搭載した第１キャリッジと、第２、第３ミラーを搭載した第２キャリッジとを、コンタクトガラスの下方で、２：１の速度比で走行させながら、光学系の共役長を維持しつつ、コンタクトガラス上に下向きに載置された原稿画像を走査して読み取る型式のものが最も一般的である。
第２キャリッジ以降の反射光は、結像レンズにより結像され、デジタル複写機にあっては、結像光が例えばＣＣＤに読み取られて光電変換されるようになっている。
【０００３】
このような画像読み取り装置にあって、キャリッジは一般に、駆動モータによってプーリを介して駆動されるワイヤに固定され、駆動モータの正逆転により往復動されるようになっている。なお、キャリッジを駆動するのにワイヤを用いるのは、振動が少なく、扱い易いからである。
しかし、ワイヤを用いれば、駆動モータの振動が全くキャリッジに伝わらないということではなく、キャリッジに微振動が発生するのを避けることはできない。また、キャリッジの移動に伴う振動もある。
【０００４】
キャリッジが振動すると、読み取り画像の画質が劣化する。例えば、カラー複写機では色分離不良が発生し、またモノクロ複写機ではジッター（画像ぶれ）が発生する。
そのため、例えば、実開昭６２−１１２２５５号公報には、ワイヤの一端にスプリングを配置して、このスプリングを介してキャリッジとワイヤを固定することで振動吸収を図り、また動作の立ち上がり時のオーバシュートを低減するようにしている。
【０００５】
また、特開昭６１−２４９０３６号公報には、キャリッジに、流体を内蔵したシリンダを配置し、このシリンダによりワイヤからの振動を吸収する技術が提案されている。
【０００６】
【発明が解決しようとする課題】
上記両技術はいずれも、振動を吸収してからキャリッジの動作が開始されるため、キャリッジに遅れが生じるという問題がある。
また、最近の画像形成装置は、高速機が主流となっており、キャリッジの走査速度が高いため、より確実な振動低減技術の開発が要求されている。
【０００７】
本発明は、このような背景に鑑みてなされたものであり、キャリッジの動作に遅れを生じさせることなく、キャリッジの振動を効率よく低減させることのできる画像読み取り装置を提供することを目的とする。
【０００８】
【課題を解決するための手段】
この目的を達成するために、請求項１記載の発明は、光源、ミラー等を搭載したキャリッジの走査によりコンタクトガラス上の原稿画像を読み取る画像読み取り装置において、板金製のキャリッジを駆動するワイヤを、固有振動数がキャリッジと異なるアルミダイキャストまたは焼結合金からなる金属性振動減衰体を介してキャリッジに固定したことを特徴とするものである。
【００１０】
また請求項２記載の発明は、請求項１記載の発明において、金属性振動減衰体とキャリッジの間に、さらにゴム部材などの弾性材質の弾性振動減衰体を介在させたことを特徴とするものである。
【００１３】
【発明の実施の形態】
以下、本発明の実施の形態を添付図面に沿って説明する。
図１はキャリッジ走査型の画像読み取り装置の概略構成図、図２はキャリッジの駆動系を示す斜視図である。
【００１４】
図１において、原稿２を載置するコンタクトガラス１の下方に、第１キャリッジ３と第２キャリッジ４が配置される。第１キャリッジ３は、原稿２を照射するランプ５と第１ミラー６を搭載する。第２キャリッジ４は、第２ミラー７と第３ミラー８を搭載する。第１、第２キャリッジ３，４は、走査方向（矢印Ａ方向）に２：１の速度比で走行して原稿２を走査する。破線は走査終了位置を示す。
第２キャリッジ４の第３ミラー８で反射された光は、結線レンズ９に入射され、ＣＣＤ１０上に結像されるようになっている。
【００１５】
図２において、符号１１は駆動軸、１２は駆動軸１１の両端に設けられた駆動プーリ、１３はワイヤ、１４は第２キャリッジ４に取り付けられたプーリ、１５は従動プーリ、１６はワイヤ係止部、１７はモータ軸、１８はモータをそれぞれ示す。第１、第２キャリッジ３，４の両側に設けた一対のワイヤ１３，１３は、駆動プリー１２、プーリ１４、従動プーリ１５に掛け渡され、かつその両端１３ａ，１３ｂは、係止部１６に係止されている。
【００１６】
ワイヤ１３と第１キャリッジ３は、図３ないし図６に示す機構により固定されており、モータ１８の駆動力が、モータ軸１７、駆動プーリ１２、ワイヤ１３を介して、第１、第２キャリッジ３，４に伝達され、第１、第２キャリッジ３，４が前述のごとく例えば、矢印Ａ方向に駆動される。
【００１７】
図３は本発明の第１の実施の形態を示す画像読み取り装置の要部斜視図である。
第１キャリッジ３とワイヤ１３は、金属性振動減衰体１９を介して固定されている。より具体的には、固定板ばね２０によりワイヤ１３は金属性振動減衰体１９に取り付けられている。なお、符号Ｐはワイヤ１３の固定点を示す。
【００１８】
金属性振動減衰体１９は、具体的には、アルミダイキャスト、焼結合金等の金属性材料で構成され、板金からなるキャリッジ３とは固有振動数が異なっている。このことにより、ワイヤ１３からの振動は、金属性振動減衰体１９の部分で固有振動数の違いにより相殺され、減衰される。
【００１９】
図４は本発明の第２の実施の形態を示す画像読み取り装置の要部斜視図である。
この実施の形態は、例えば、アルミダイキャストで構成される金属性振動減衰体１９と第１キャリッジ３の間に、ゴム部材からなる弾性振動減衰体２１をさらに介在させたものである。ゴム部材としては比較的硬度の高いものを使用して、キリッジの動作の遅れが出ないようにする。
【００２０】
図５は本発明の第３の実施の形態を示す画像読み取り装置の要部斜視図である。
第３の実施の形態は、弾性振動減衰体２１をワイヤ１３に巻き付けて、言い換えると、中空ロール状の弾性振動減衰体２１にワイヤ１３を通して、この弾性振動減衰体２１部分を板ばね２０により第１キャリッジ３に固定したものである。
【００２１】
図６は本発明の第４の実施の形態を示す画像読み取り装置の要部斜視図である。
この実施の形態は、図５に示す第３の実施の形態の変形例を示すものであり、２つの中空ロール状の弾性振動減衰体２１ａ，２１ｂを設け、板ばね２０の切片２０ａ，２０ｃにより、２つの弾性振動減衰体２１ａ，２１ｂを第１キャリッジ３に固定すると共に、２つの弾性振動減衰体２１ａ，２１ｂの間のワイヤ１３を直接、板ばね２０の切片２０ｂにより第１キャリッジ３に固定したものである。
【００２２】
このようにすると、弾性振動減衰体２１ａ，２１ｂによる振動減衰効果が得られる他、ワイヤ１３が直接第１キャリッジ３に固定されている部分もあるので、制御信号に対するキャリッジの遅れ防止効果が高まる。
【００２３】
図７は制御信号とキャリッジ動作のタイミング図であり、（ａ）はキャリッジ動作の遅れが小さい場合、（ｂ）は大きい場合を示す。
また、図８は振動減衰体を設けない場合のキャリッジとワイヤ取り付け部の斜視図である。この図は図３ないし図６と比較説明する上で示した。符号２２はガイドレールを示す。
本発明によれば、図７（ａ）に示す如く、キャリッジ動作の遅れを極力低減しつつ、図８に示す振動減衰体を設けない場合に比べてキャリッジの振動を抑えることができる。
【００２４】
【発明の効果】
請求項１記載の発明によれば、板金製のキャリッジを駆動するワイヤを、固有振動数がキャリッジと異なるアルミダイキャストまたは焼結合金からなる金属性振動減衰体を介してキャリッジに固定したので、キャリッジの振動を効率よく低減することができる。
【００２５】
また、請求項２記載の発明によれば、２種類の振動減衰体を組み合わせること、すなわち金属性振動減衰体とキャリッジの間に、ゴム部材などの弾性材質の弾性振動減衰体を介在させることで、さらに振動低減効果を高めることができる。
【図面の簡単な説明】
【図１】キャリッジ走査型の画像読み取り装置の概略構成図である。
【図２】キャリッジの駆動系を示す斜視図である。
【図３】本発明の第１の実施の形態を示す画像読み取り装置の要部斜視図である。
【図４】本発明の第２の実施の形態を示す画像読み取り装置の要部斜視図である。
【図５】本発明の第３の実施の形態を示す画像読み取り装置の要部斜視図である。
【図６】本発明の第４の実施の形態を示す画像読み取り装置の要部斜視図である。
【図７】制御信号とキャリッジ動作のタイミング図である。
【図８】振動減衰体を設けない場合のキャリッジとワイヤ取り付け部の斜視図である。
【符号の説明】
１  コンタクトガラス
２  原稿
３  第１キャリッジ
４  第２キャリッジ
５  ランプ
６  第１ミラー
７  第２ミラー
８  第３ミラー
９  結線レンズ
１０  ＣＣＤ
１１  駆動軸
１２  駆動プリー
１３  ワイヤ
１３ａ，１３ｂ  両端
１４  プーリ
１５  従動プーリ
１６  係止部
１７  モータ軸
１８  モータ
１９  金属性振動減衰体
２０  板ばね
２１  弾性振動減衰体
２１ａ，２１ｂ  中空ロール状の弾性振動減衰体
【図１】
0003663443.tif 000002
【図２】
0003663443.tif 000003
【図３】
0003663443.tif 000004
【図４】
0003663443.tif 000005
【図５】
0003663443.tif 000006
【図６】
0003663443.tif 000007
【図７】
0003663443.tif 000008
【図８】
0003663443.tif 000009